(57)【特許請求の範囲】
【請求項１】
略矩形板状の底壁構成部と、前記底壁構成部の各側辺部からそれぞれ上方に延出する側壁部とを備え、スタッキング、及び、ネスティングの両方が可能な容器において、
前記側壁部から外方に突出形成され、容器のスタッキング状態において下側の容器の前記側壁部の上辺部に支持される支脚部と、
前記側壁部の内面側に形成され、容器のネスティング状態において上側の容器の前記支脚部を挿入可能なポケット部とを備え、
前記側壁部は、相対する一対の第１側壁部と、相対する一対の第２側壁部とを備え、
前記支脚部、及び、前記ポケット部は、前記第２側壁部にはなく、前記各第１側壁部に設けられ、
前記各第２側壁部には、
前記第２側壁部の外面の下端部、又は、下端部近傍から外方に突出形成され、容器のスタッキング状態、及び、ネスティング状態において少なくとも一部が下側の容器の内側に挿入される突部と、
前記第２側壁部の内面側に形成され、容器のスタッキング状態、及び、ネスティング状態において前記突部を挿入可能な溝部とが設けられているとともに、前記突部、及び、溝部は、容器のスタッキング状態、及び、ネスティング状態のいずれにおいても幅方向で同じ位置にあり、
前記突部の前記第2側壁部からの突出長は、前記支脚部の前記第1側壁部からの突出長よりも短く、
前記溝部の前記第2側壁部の内面に対する深さは、前記第1側壁部の内面に対する前記ポケット部の深さよりも浅く、
前記突部は、前記溝部よりも鉛直方向下方位置であって前記第2側壁部の下端部又は下端部近傍にのみ設けられており、
前記突部、及び、前記溝部は、前記第２側壁部の両側部、又は、その近傍にのみ設けられていることを特徴とする容器。
【請求項２】
前記溝部は、上端部側から下端部側に向けて、前記第２側壁部の内面に対する当該溝部の底面の深さが次第に深くなるように構成され、
前記溝部のうち少なくとも一方の内側側面は、前記溝部の底面と、前記第２側壁部の内面との間を斜めに連結する傾斜面として構成され、
前記傾斜面は、前記溝部の上端部側から下端部側に向けて、横幅が次第に大きくなるように構成されていることを特徴とする請求項１に記載の容器。
【請求項３】
前記第１側壁部、及び、前記第２側壁部の上辺部から外方に延出する上フランジ部を備え、
前記側壁部の各コーナー部付近において、前記第１側壁部と前記第２側壁部とにかけて前記上フランジ部と平行して延びる補強横リブと、前記補強横リブと前記上フランジ部との間を連結する複数の補強縦リブとを具備するコーナー構成部を備え、
前記突部、及び、前記溝部は、前記コーナー構成部の前記補強縦リブのうち、最も前記第２側壁部の横幅方向中央部側に位置する最内補強縦リブよりも前記第２側壁部の側辺部側に設けられており、
前記第２側壁部の外面であって、前記最内補強縦リブ間には、段差等の凹凸のない平坦面が設けられており、
該平坦面は、前記補強横リブのうち、前記第２側壁部の最も下部側に位置する下段補強横リブよりも下方位置まで連続していることを特徴とする請求項１又は２に記載の容器。
【請求項４】
前記突部の下部は、下端部側から上端部側に向けて、前記第２側壁部からの突出長が次第に大きくなるように構成されていることを特徴とする請求項１乃至３のいずれかに記載の容器。
【発明の詳細な説明】
【技術分野】
【０００１】
本発明は、物品の運搬等に使用される容器に関するものである。
【背景技術】
【０００２】
一般に、物品の運搬等に使用される容器は、略矩形板状の底壁構成部と、底壁構成部の側辺部から上方に延出する側壁部とを備え、上方に開口する箱状をなしている。また、容器には、内部に物品を収容した状態で容器同士を段積みする（スタッキングする）ことができる上、スタッキング時よりも、上側の容器の下部を下側の容器の内側により深く挿入させるようにして段積みする（ネスティングする）ことができるように構成されたものがある（例えば、特許文献１等参照。）。
【０００３】
また、特許文献１の容器には、側壁部から外方に突出形成され、スタッキング時において下側の容器の側壁部の上辺部に支持される支脚部と、側壁部の内面側に形成され、ネスティング時において上側の容器の支脚部を挿入可能なポケット部とが設けられている。そして、容器同士を同じ向きで積み重ねることでスタッキングすることができ、下側の容器に対して上側の容器を１８０度旋回させて積み重ねることでネスティングすることができるように構成されている。
【先行技術文献】
【特許文献】
【０００４】
【特許文献１】特許第３２６１２５８号公報
【発明の概要】
【発明が解決しようとする課題】
【０００５】
ところで、側壁部の外面側に対し、カードを取付けたり、直接的に印刷・刻印したりする等して、容器に収容される物品等に関する情報を表示する情報表示領域を形成することが知られている。しかしながら、上記特許文献１のように、支脚部やポケット部が形成される容器に関しては、側壁部の外面側により多くの凸凹が形成され、上記情報表示領域を比較的大きく確保することが困難となってしまうおそれがある。
【０００６】
本発明は、上記例示した問題点等を解決するためになされたものであって、その目的は、スタッキング及びネスティングの両方が可能な構成において、情報表示領域を確保することができる容器を提供することにある。
【課題を解決するための手段】
【０００７】
以下、上記課題等を解決するのに適した各手段につき項分けして説明する。なお、必要に応じて対応する手段に特有の作用効果等を付記する。
【０００８】
手段１．略矩形板状の底壁構成部と、前記底壁構成部の各側辺部からそれぞれ上方に延出する側壁部とを備え、スタッキング、及び、ネスティングの両方が可能な容器において、
前記側壁部から外方に突出形成され、容器のスタッキング状態において下側の容器の前記側壁部の上辺部に支持される支脚部と、
前記側壁部の内面側に形成され、容器のネスティング状態において上側の容器の前記支脚部を挿入可能なポケット部とを備え、
前記側壁部は、相対する一対の第１側壁部と、相対する一対の第２側壁部とを備え、
前記支脚部、及び、前記ポケット部は、前記第２側壁部にはなく、前記各第１側壁部に設けられ、
前記各第２側壁部には、
前記第２側壁部の外面の下端部、又は、下端部近傍から外方に突出形成され、容器のスタッキング状態、及び、ネスティング状態において少なくとも一部が下側の容器の内側に挿入される突部と、
前記第２側壁部の内面側に形成され、容器のスタッキング状態、及び、ネスティング状態において前記突部を挿入可能な溝部とが設けられているとともに、前記突部、及び、溝部は、容器のスタッキング状態、及び、ネスティング状態のいずれにおいても幅方向で同じ位置にあり、
前記突部の前記第2側壁部からの突出長は、前記支脚部の前記第1側壁部からの突出長よりも短く、
前記溝部の前記第2側壁部の内面に対する深さは、前記第1側壁部の内面に対する前記ポケット部の深さよりも浅く、
前記突部は、前記溝部よりも鉛直方向下方位置であって前記第2側壁部の下端部又は下端部近傍にのみ設けられており、
前記突部、及び、前記溝部は、前記第２側壁部の両側部、又は、その近傍にのみ設けられていることを特徴とする容器。
【０００９】
手段１によれば、支脚部及びポケット部は、第１側壁部に設けられるものの、第２側壁部には設けられていない。その代わりに、第２側壁部には、突部及び溝部が設けられている。つまり、例えば、第２側壁部にも支脚部が設けられる構成に比べてスタッキング状態が不安定になってしまうことが懸念されるが、第２側壁部に突部を設けることで、スタッキング状態にある容器同士の水平方向におけるガタツキを抑制することができる。これにより、第１側壁部に設けられた支脚部のスタッキング状態における支持状態をより安定させることができ、第２側壁部にも支脚部を設ける構成と同程度、或いは、それ以上のスタッキング状態の安定化を図ることができる。
【００１０】
また、突部は、スタッキング状態における容器同士のガタツキを防止するために設けられるものであって、（物品の収容された）容器を支持するための支脚部に比べて小さなものであっても十分に機能することとなる。当然、突部を挿入させる溝部についても、支脚部を挿入させるポケット部に比べて小さく構成することができる。さらに、突部は、第２側壁部の下端部、又は、下端部近傍に設けられている。
【００１１】
従って、第２側壁部の外面における凸凹を極力減らすとともに、第２側壁部の外面において突部によって分断されない（凸凹の無い略矩形状の）平坦面を極力大きく確保することができる。結果として、第２側壁部の外面側に対し、カードを取付けたり、直接的に印刷・刻印したりする等して、収容される物品等に関する情報を表示する情報表示領域を極力大きく確保することができる。加えて、第２側壁部において、容器を持ち運ぶ際の持ち手となる把手部を設けたとしても、情報表示領域を十分に確保することができる。さらに、第２側壁部の凸凹を減らすことによって、洗浄性の向上等を図ることができる。
【００１２】
また、突部、及び、溝部が幅方向で同じ位置にあるため、第１側壁部における支脚部、及び、ポケット部のようにどちらかが横幅方向中央寄りに位置するといった構成に比べ、第２側壁部において平坦面を極力大きく確保するといった作用効果がより一層奏されることとなる。
【００１３】
また、情報表示領域を第２側壁部の中央部を含む範囲により大きく確保することができる。また、例えば、突部が、第２側壁部のうち、横幅方向中央部にのみ設けられる場合に比べ、スタッキング状態において、上側の容器が、突部付近を軸心として回動するようにしてガタついてしまうといった事態をより確実に抑制することができる。従って、スタッキング状態にある容器のガタツキを抑制するといった作用効果がより確実に奏される。さらに、第２側壁部のうち、横幅方向中央部に比べて、当該第２側壁部の厚み方向における変位・変形がほぼ生じない第２側壁部の両側部、又は、その近傍に突部を設けることによって、スタッキング状態におけるガタツキを抑制するといった作用効果がより確実に奏される。
【００１５】
手段２．前記溝部は、上端部側から下端部側に向けて、前記第２側壁部の内面に対する当該溝部の底面の深さが次第に深くなるように構成され、
前記溝部のうち少なくとも一方の内側側面は、前記溝部の底面と、前記第２側壁部の内面との間を斜めに連結する傾斜面として構成され、
前記傾斜面は、前記溝部の上端部側から下端部側に向けて、横幅が次第に大きくなるように構成されていることを特徴とする手段１に記載の容器。
【００１６】
手段２によれば、溝部のうち少なくとも一方の内側側面を傾斜面として形成することにより、溝部の底面と、第２側壁部の内面との間に形成される段差をなくす、又は、減少させることができる。従って、容器に収容された物品が溝部に引っ掛かってしまうこと等を抑制することができる。
【００１７】
尚、手段１に対応しては、「前記溝部の内側側面のうち少なくとも前記第２側壁部の横幅方向中央部側の内側側面が傾斜面として構成されること」としてもよい。
【００１８】
手段３．前記第１側壁部、及び、前記第２側壁部の上辺部から外方に延出する上フランジ部を備え、
前記側壁部の各コーナー部付近において、前記第１側壁部と前記第２側壁部とにかけて前記上フランジ部と平行して延びる補強横リブと、前記補強横リブと前記上フランジ部との間を連結する複数の補強縦リブとを具備するコーナー構成部を備え、
前記突部、及び、前記溝部は、前記コーナー構成部の前記補強縦リブのうち、最も前記第２側壁部の横幅方向中央部側に位置する最内補強縦リブよりも前記第２側壁部の側辺部側に設けられていることを特徴とする手段１又は２に記載の容器。
【００１９】
手段３によれば、コーナー構成部によって容器のコーナー部の強度を高めることができる。また、突部、及び、溝部が、最内補強縦リブよりも第２側壁部の側辺部側に設けられることにより、最内補強縦リブよりも第２側壁部の中央部側の領域を情報表示領域や、把手部用のスペースとして確保することができる。さらには、第２側壁部のうち内面側に溝部が形成されたことによって外面側に膨出した部位、及び、突部の保護を図ることができる。
【００２０】
手段４．前記突部の下部は、下端部側から上端部側に向けて、前記第２側壁部からの突出長が次第に大きくなるように構成されていることを特徴とする手段１乃至３のいずれかに記載の容器。
【００２１】
手段４によれば、容器のスタッキングやネスティングを行う際に、上側の容器の突部が、下側の容器の第２側壁部の上辺部（上フランジ部）に引っ掛かるといった事態を防止することができ、スタッキングやネスティングの作業を比較的スムースに行うことができる。
【図面の簡単な説明】
【００２２】
【図１】容器を示す斜視図である。
【図２】容器を示す斜視図である。
【図３】図１のＪ部を示す部分拡大斜視図である。
【図４】左半分は、短辺側側壁部の外面側を示す側面図であり、右半分は、短辺側側壁部の内面側を示す断面図である。
【図５】スタッキング状態にある容器を示す斜視図である。
【図６】ネスティング状態にある容器を示す斜視図である。
【図７】スタッキング状態にある容器を示す断面図である。
【図８】ネスティング状態にある容器を示す断面図である。
【発明を実施するための形態】
【００２３】
以下に、一実施形態について図面を参照して説明する。図１、図２等に示すように、容器１は、略矩形板状の底壁構成部２と、底壁構成部２の相対する一対の長辺部からそれぞれ上方に延びる第１側壁部としての長辺側側壁部３と、底壁構成部２の相対する一対の短辺部にからそれぞれ上方に延びる第２側壁部としての短辺側側壁部４とを備え、これらが型成形により一体的に形成されている。本実施形態の容器１は、ポリプロピレンにより構成されている。
【００２４】
また、長辺側側壁部３及び短辺側側壁部４は、型抜きの都合上、上方に向けて外側に若干傾斜して延びている。さらに、容器１は、いずれの部位においても肉厚がほぼ一定となっている。尚、詳しくは後述するが、容器１は、容器１同士を積み重ねることができる上、積み重ねる向きを変えることで、スタッキング、及び、ネスティングの両方が可能に構成されている。
【００２５】
図４等に示すように、底壁構成部２は、略矩形板状の底壁部６と、底壁部６から下方に突出し、底壁部６を支持する支持リブ７とを備えている。支持リブ７は、底壁部６の外周縁から下方に突出する枠リブ８と、枠リブ８の内周側において格子状に設けられる格子リブ９とを備えている。
【００２６】
また、図１、図２等に示すように、容器１は、長辺側側壁部３及び短辺側側壁部４の上辺部から外方に突出する上フランジ部１１と、各長辺側側壁部３から外方に突出形成され、容器１のスタッキング状態において下側の容器１の長辺側側壁部３の上辺部、及び、上フランジ部１１に支持される支脚部１２と、各長辺側側壁部３の内面側に形成され、容器１のネスティング状態において上側の容器１の支脚部１２を収容可能なポケット部１３とを備えている。
【００２７】
本実施形態では、一方の長辺側側壁部３と、他方の長辺側側壁部３とでは、支脚部１２、及び、ポケット部１３の形成位置等が異なっている。以下、図１では紙面右手前側、図２では紙面右奥側に示される長辺側側壁部３を「第１長辺側側壁部３ａ」と称し、図１では紙面左奥側、図２では紙面左手前側に示される長辺側側壁部３を「第２長辺側側壁部３ｂ」と称して説明する。
【００２８】
つまり、第１長辺側側壁部３ａに関しては、図１に示すように、第１長辺側側壁部３ａの横幅方向両側部近傍部位（各短辺側側壁部４となすコーナー部近傍）において支脚部１２（第１支脚部１２ａ）が形成されている。さらに、各第１支脚部１２ａに対して第１長辺側側壁部３ａの横幅方向中央部側に隣接する位置の上方にポケット部１３（第１ポケット部１３ａ）が形成されている。
【００２９】
一方で、第２長辺側側壁部３ｂに関しては、図２に示すように、第２長辺側側壁部３ｂの横幅方向両側部近傍部位（各短辺側側壁部４となすコーナー部近傍）においてポケット部１３（第２ポケット部１３ｂ）が形成され、各第２ポケット部１３ｂに対して第２長辺側側壁部３ｂの横幅方向中央部側に隣接する位置の下方に支脚部１２（第２支脚部１２ｂ）が形成されている。
【００３０】
また、図１〜図３等に示すように、支脚部１２（第１支脚部１２ａ、第２支脚部１２ｂ）は、底壁構成部２の底壁部６よりも若干上方位置（図４参照）において、長辺側側壁部３（第１長辺側側壁部３ａ、第２長辺側側壁部３ｂ）から外方に突出し、長辺側側壁部３の横幅方向に沿って延びる支持片１５と、支持片１５の両側辺部から上方に延びる補助リブ１６とを備えている。尚、第１支脚部１２ａは、第２支脚部１２ｂよりも若干幅広に形成されている。
【００３１】
図１、図２等に示すように、ポケット部１３（第１ポケット部１３ａ、第２ポケット部１３ｂ）は、長辺側側壁部３（第１長辺側側壁部３ａ、第２長辺側側壁部３ｂ）に対し、容器１のネスティングに際して、支脚部１２（第２支脚部１２ｂ、第１支脚部１２ａ）の挿通を許容する矩形状の切欠き部を形成するとともに、切欠き部の下辺部から外方に突出する受板部１７と、切欠き部の両側辺部から外方に突出する側板部１８と、受板部１７、及び、各側板部１８の先端縁の間を連結する外板部１９とを設けることによって形成されている。尚、長辺側側壁部３の内面側にポケット部１３が形成されることにより、長辺側側壁部３の外面のうちポケット部１３に対応する部位が外方に膨出することとなる。また、容器１のネスティング状態において第１支脚部１２ａを収容することになる第２ポケット部１３ｂは、第２支脚部１２ｂを収容することになる第１ポケット部１３ａよりも若干幅広に形成されている。
【００３２】
図５、図７に示すように、本実施形態では、容器１同士を同じ向きで積み重ねた場合に、上側の容器１のうち支脚部１２よりも下方の部位が、下側の容器１の内側に挿入されるとともに、上側の容器１の支脚部１２が、下側の容器１の長辺側側壁部３の上辺部、及び、上フランジ部１１に当接して支持される、すなわち、「スタッキング」が行われるようになっている。
【００３３】
また、図６、図８に示すように、上側の容器１を下側の容器１に対して１８０度旋回させた向きで積み重ねると、上側の容器１の第１支脚部１２ａ、及び、第２支脚部１２ｂの位置と、下側の容器１の第２ポケット部１３ｂ、及び、第１ポケット部１３ａの位置とが合致する。このため、上側の容器１の支脚部１２が、下側の容器１のポケット部１３に挿入されるとともに、上側の容器１の支脚部１２が、下側の容器１のポケット部１３を構成する受板部１７に当接して支持される、すなわち、「ネスティング」が行われるようになっている。尚、詳しくは後述するが、本実施形態では、容器１のネスティング状態において、上側の容器１を下側の容器１に対して所定の高さ位置で支持する構成が別途設けられているため、必ずしも上側の容器１の支脚部１２と、下側の容器１の受板部１７とを当接させる必要はない。
【００３４】
さて、図１、図２等に示すように、本実施形態の短辺側側壁部４には、支脚部１２、及び、ポケット部１３が設けられていない。その代わりに、各短辺側側壁部４には、外面の左下、及び、右下の隅部から外方に突出形成され、容器１のスタッキング状態、及び、ネスティング状態において下側の容器１の内側に挿入される突部２１と、内面側に形成され、容器１のネスティング状態において、突部２１を収容可能な溝部２２とが設けられている。また、一対の短辺側側壁部４については、互いに対称形状となっている。
【００３５】
図３、図４、図７等に示すように、本実施形態の突部２１は、短辺側側壁部４の下部から、底壁構成部２の枠リブ８の下端部にかけて上下方向に延在している（図７等参照）。また、突部２１の短辺側側壁部４からの突出長は、支脚部１２（支持片１５）の長辺側側壁部３からの突出長よりも短くなっている（例えば、１／２以下、かつ、１／４以上）。さらに、図３に示すように、突部２１の下部２１ａは、下端部側から上端部側に向けて、短辺側側壁部４からの突出長が次第に大きくなるように構成されている。加えて、突部２１の上部２１ｂは、上端部側から下端部側に向けて、短辺側側壁部４からの突出長が次第に大きくなるように構成されている。また、突部２１のうち上下方向中間位置には、短辺側側壁部４からの突出長がほぼ一定であって、先端縁が略鉛直方向に延びる当接区間２１ｃが設けられている。図７に示すように、本実施形態では、容器１のスタッキング状態において、上側の容器１の突部２１のうち、当接区間２１ｃまでは下側の容器１の内側に挿入され、上部２１ｂの上側部分は下側の容器１よりも上方に突出している。
【００３６】
図１、図４等に示すように、溝部２２は、短辺側側壁部４に対し、容器１のスタッキング、及び、ネスティングに際して、突部２１の挿通を許容する切欠き部を形成するとともに、切欠き部の両側辺部から外方に突出する溝側板部２４と、切欠き部の下辺部から外方に突出する溝下板部２５と、各溝側板部２４、及び、溝下板部２５の先端縁の間を連結する溝底板部２６とを設けることにより形成されている。本実施形態では、突部２１は、溝部２２の溝底板部２６の鉛直方向下方位置（短辺側側壁部４の横幅方向において溝部２２の形成範囲と同じ位置）に設けられている。尚、短辺側側壁部４の内面側に溝部２２が形成されることにより、短辺側側壁部４の外面のうち溝部２２に対応する部位が外方に膨出することとなる。
【００３７】
また、溝底板部２６は上下に長い略矩形状をなしている。さらに、溝底板部２６の内面により溝部２２の底面が形成されるとともに、溝部２２の底面の横幅は、突部２１の横幅よりも若干大きく構成されている（例えば、１．２倍以上、２．５倍以下）。尚、溝部２２の下端部を形成する溝下板部２５は、突部２１の下部の傾斜に対応した角度で傾斜して延びている。
【００３８】
さらに、図７等に示すように、溝部２２は、上端部側から下端部側に向けて、短辺側側壁部４の内面に対する溝部２２の底面の深さが次第に深くなるように構成されている。つまり、上記のように、短辺側側壁部４は、型抜きのために若干傾斜しており、上端部に近付くほど、一対の短辺側側壁部４間の距離が長くなっている。このため、本実施形態では、短辺側側壁部４の上部に関しては、溝部２２の深さが浅くても（上端部付近では溝部２２が形成されていなくても）、容器１のスタッキング等に際して、上側に積み重ねられる容器１の下部（突部２１）の挿入を許容することができる（図７参照）。本実施形態では、容器１をスタッキング状態とすることで、各突部２１が、それぞれに対向する溝部２２の底面と当接、又は、近接するように構成されている。
【００３９】
その一方で、短辺側側壁部４のうち溝部２２の下部に相当する高さの部位に関しては、一対の短辺側側壁部４間の距離が短くなるため、溝部２２の深さを深くしなければ、容器１のネスティングに際して、上側に積み重ねられる容器１の下部（突部２１）の挿入を許容できないようになっている（図８参照）。本実施形態では、溝底板部２６がほぼ鉛直方向に延在するように構成されている。
【００４０】
加えて、図１、図４等に示すように、溝部２２の内側側面を構成する一対の溝側板部２４のうち、短辺側側壁部４の横幅方向中央部側の溝側板部２４は、溝底板部２６の側辺部と、短辺側側壁部４との間を斜めに連結している。これにより、溝部２２の内側側面のうち、短辺側側壁部４の横幅方向中央部側の内側側面が、溝部２２の底面と、短辺側側壁部４の内面との間を斜めに連結する傾斜面として構成されている。
【００４１】
さらに、当該傾斜面は、溝部２２の上端部側から下端部側に向けて、横幅が次第に大きくなるように構成されている。つまり、溝部２２は、下端部側に向けて深さが次第に深くなっているため、溝側板部２４を、溝底板部２６の側辺部から斜めの方向に短辺側側壁部４に突き当たるまで真っ直ぐに延ばすと、当該溝側板部２４の幅、すなわち、前記傾斜面の横幅が溝部２２の上端部側から下端部側に向けて次第に大きくなる。
【００４２】
また、溝下板部２５についても容器１の内側に向けて下方傾斜しており、当該溝下板部２５と、溝側板部２４とを互いに突き当たるまで延長させることで、溝下板部２５の傾斜面と溝側板部２４の傾斜面とが連続するようになっている。
【００４３】
尚、本実施形態では、溝部２２の内側側面を構成する一対の溝側板部２４のうち、短辺側側壁部４の側辺部側の溝側板部２４についても若干傾斜して設けられているが、横幅方向中央部側の溝側板部２４に比べ、その傾斜は僅かであり、短辺側側壁部４に対して垂直に近い方向に延びている。さらに、溝部２２の底面の横幅は、上端部側から下端部側に向けて次第に短くなるように構成されているが、上端部の横幅と、下端部の横幅との差は僅かなものとなっている。
【００４４】
また、容器１は、長辺側側壁部３、及び、短辺側側壁部４の側辺部同士が連結される各コーナー部付近において、長辺側側壁部３の外面と短辺側側壁部４の外面とにかけて上フランジ部１１と平行して延びる補強横リブ３２と、補強横リブ３２と上フランジ部１１との間を連結する補強縦リブ３３とを具備するコーナー構成部３１を備えている。コーナー構成部３１（補強横リブ３２、及び、補強縦リブ３３）は、支脚部１２や、ポケット部１３の形成に起因する膨出部位よりも外方にまで突出している。
【００４５】
本実施形態の補強横リブ３２には、上段補強横リブ３２ａと、下段補強横リブ３２ｂとがあり、下段補強横リブ３２ｂは、ポケット部１３の受板部１７と同じ高さ位置に設けられている。本実施形態では、容器１のネスティング状態において、上側の容器１の下段補強横リブ３２ｂが、下側の容器１の上フランジ部１１に当接して支持されるようになっている。尚、支脚部１２の補助リブ１６は、下段補強横リブ３２ｂと連結されるまで上方に延びている。
【００４６】
また、本実施形態の補強縦リブ３３には、長辺側側壁部３と短辺側側壁部４とでなすコーナー部から延出するコーナー補強縦リブ３３ａと、長辺側側壁部３から延出する長辺側補強縦リブ３３ｂと、短辺側側壁部４から延出する短辺側補強縦リブ３３ｃとがある。長辺側補強縦リブ３３ｂは、（第１ポケット部１３ａがコーナー部から離間して設けられている）第１長辺側側壁部３ａに関しては２本設けられ、第２長辺側側壁部３ｂに関しては１本設けられている。
【００４７】
図１に示すように、第１長辺側側壁部３ａの長辺側補強縦リブ３３ｂのうち、第１長辺側側壁部３ａの横幅方向中央部側に位置する長辺側補強縦リブ３３ｂは、第１長辺側側壁部３ａの横幅方向において、第１ポケット部１３ａを構成する一対の側板部１８のうち第１長辺側側壁部３ａの横幅方向中央部側に位置する側板部１８と同じ位置に設けられている。
【００４８】
図２に示すように、第２長辺側側壁部３ｂの長辺側補強縦リブ３３ｂは、第２長辺側側壁部３ｂの横幅方向において、第２支脚部１２ｂの一対の補助リブ１６のうち、第２長辺側側壁部３ｂの横幅方向中央部側に位置する補助リブ１６と同じ位置に設けられている。
【００４９】
また、図４に示すように、短辺側補強縦リブ３３ｃは、溝部２２を構成する一対の溝側板部２４のうち短辺側側壁部４の中央部側の溝側板部２４の下部と隣接するようにして設けられている。これにより、突部２１、及び、溝部２２は、短辺側補強縦リブ３３ｃよりも短辺側側壁部４の側辺部側に設けられるようになっている。尚、本実施形態では、各短辺側補強縦リブ３３ｃが、最内補強縦リブに相当する。
【００５０】
また、図１等に示すように、各短辺側側壁部４の外面側には、上フランジ部１１の先端縁（外縁）から下方に延出するとともに、左右一対のコーナー構成部３１間を連結するようにして延びる折返しフランジ４１が設けられている。これにより、上フランジ部１１の裏側（下面側）に指先を掛けて容器１を持ち運ぶ際に容器１が持ち易くなるとともに、上フランジ部１１の強度が向上することとなる。尚、長辺側側壁部３に関しても、上フランジ部１１の先端縁から下方に延出する折返しフランジ４１が設けられている。本実施形態では、上フランジ部１１及び折返しフランジ４１により把手部が構成される。
【００５１】
さらに、各長辺側側壁部３、及び、各短辺側側壁部４の外面には、カードを貼着したり、直接的に印刷・刻印したりする等して、収容される物品等に関する情報を表示する情報表示領域４２が設けられている。本実施形態の情報表示領域４２は、各長辺側側壁部３、及び、各短辺側側壁部４の外面うち、左右一対のコーナー構成部３１の間、かつ、折返しフランジ４１の下方の部位において、その周辺部よりも僅かに突出する（凸む）ようにして形成されている。加えて、情報表示領域４２自身には、段差等の凸凹が一切なく、平坦面となっている。
【００５２】
また、図３等に示すように、支脚部１２には、支持片１５の先端縁から下方に突出する突片４３が設けられている。これに対し、上フランジ部１１のうち長辺側側壁部３の上辺部から外方に突出する部位には、長辺側側壁部３の上辺部に沿って延びる断面略Ｕ字状のレール部４４が形成されている。容器１のスタッキング状態においては、上側の容器１の突片４３が、下側の容器１のレール部４４に挿入されるようになっている。これにより、突片４３と、レール部４４とが係合される格好となり、スタッキング状態における容器１の（特に短辺側側壁部４の横幅方向における）ガタツキが抑制されるとともに、下側の容器１の長辺側側壁部３の外方への変形を防止することができる。
【００５３】
さらに、容器１のスタッキング、及び、ネスティングの作業に際して、下側の容器１に対し、上側に載せた容器１の長手方向における相対位置がずれた場合、或いは、意図的にずらして載せた場合に、上側に載せた容器１の支脚部１２を、下側の容器１の長辺側側壁部３の上辺部及び上フランジ部１１に滑らせるようにして、相対位置が合致するまでスライドさせる（スライドスタックする）場合がある。このとき、上側の容器１の突片４３が、下側の容器１のレール部４４に案内されることから、比較的スムースにスライドスタックを行うことが可能となる。
【００５４】
加えて、各長辺側側壁部３には、各支脚部１２の下方位置において、長辺側側壁部３から外方に突出し、支持片１５の下面両側部から底壁構成部２の枠リブ８の下端部にかけて延びる下突部４５が設けられている。下突部４５の長辺側側壁部３からの突出長は、支持片１５の長辺側側壁部３からの突出長よりも短くなっており、下突部４５と、突片４３との間の距離が、レール部４４と、長辺側側壁部３の内面との間の距離よりも長くなるように構成されている。容器１のスタッキング状態においては、上側の容器１の各下突部４５と、下側の容器１の長辺側側壁部３の内面とが、当接、又は、近接するようになっている。加えて、下突部４５の下部は、下端部から上端部側に向けて次第に突出長が大きくなるように構成されている。
【００５５】
以上詳述したように、本実施形態によれば、支脚部１２及びポケット部１３は、長辺側側壁部３に設けられるものの、短辺側側壁部４には設けられていない。その代わりに、短辺側側壁部４には、突部２１及び溝部２２が設けられている。つまり、例えば、短辺側側壁部４にも支脚部が設けられる構成に比べてスタッキング状態が不安定になり易いものの、短辺側側壁部４に突部２１を設けることで、スタッキング状態にある容器１同士の水平方向におけるガタツキを抑制することができる。これにより、長辺側側壁部３に設けられた支脚部１２のスタッキング状態における支持状態をより安定させることができ、短辺側側壁部４にも支脚部を設ける構成と同程度、或いは、それ以上のスタッキング状態の安定化を図ることができる。
【００５６】
また、突部２１は、スタッキング状態における容器１同士のガタツキを防止するために設けられるものであって、（物品の収容された）容器１を支持するための支脚部１２に比べて小さなものであっても十分に機能することとなる。当然、突部２１を挿入させる溝部２２についても、支脚部１２を挿入させるポケット部１３に比べて小さく構成することができる。さらに、突部２１は、短辺側側壁部４の左下、及び、右下の隅部近傍に設けられている。
【００５７】
従って、短辺側側壁部４の外面における凸凹を極力減らすとともに、短辺側側壁部４の外面において突部２１によって分断されない（凸凹の無い略矩形状の）平坦面を極力大きく確保することができる。結果として、長辺側側壁部３よりも面積の小さな短辺側側壁部４の外面側に対し、短辺側側壁部４の中央部を含む範囲に、情報表示領域４２を極力大きく確保することができる。加えて、短辺側側壁部４において、容器１を持ち運ぶ際の持ち手（上フランジ部１１及び折返しフランジ４１）を設けたとしても、情報表示領域４２を十分に確保することができる。さらに、短辺側側壁部４の凸凹を減らすことによって、洗浄性の向上等を図ることができる。
【００５８】
また、例えば、突部が、短辺側側壁部４のうち、横幅方向中央部にのみ設けられる場合に比べ、スタッキング状態において、上側の容器１が、突部２１付近を軸心として回動するようにしてガタついてしまうといった事態をより確実に抑制することができる。従って、スタッキング状態にある容器１のガタツキを抑制するといった作用効果がより確実に奏される。さらに、短辺側側壁部４のうち、横幅方向中央部に比べて、当該短辺側側壁部４の厚み方向における変位・変形がほぼ生じない短辺側側壁部４の両側部、又は、その近傍に突部２１を設けることによって、スタッキング状態におけるガタツキを抑制するといった作用効果がより確実に奏される。
【００５９】
さらに、突部２１、及び、溝部２２が鉛直方向で同じ位置にあるため、一対の長辺側側壁部３における支脚部１２、及び、ポケット部１３のように、どちらかが対応する側壁部の横幅方向中央寄りに位置するといった構成に比べ、短辺側側壁部４において情報表示領域４２等のための平坦面を極力大きく確保するといった作用効果がより一層奏されることとなる。
【００６０】
加えて、溝部２２のうち、短辺側側壁部４の横幅方向中央部側の内側側面、及び、下面が傾斜面として形成されている。このため、溝部２２の底面と、短辺側側壁部４の内面との間に形成される段差を減少させることができる。従って、容器１に収容された物品が溝部２２に引っ掛かってしまうこと等を抑制することができる。さらに、溝下板部２５と、溝側板部２４とを互いに突き当たるまで延長させることで、溝下板部２５の傾斜面と溝側板部２４の傾斜面とが連続するようになっている。これにより、より効果的に溝部２２の周辺の段差をなくす、又は、減少させることができる。従って、容器１に収容された物品が溝部２２に引っ掛かってしまうこと等をより一層抑制することができる。
【００６１】
また、コーナー構成部３１が設けられることによって、容器１のコーナー部の強度を高めることができる。また、突部２１、及び、溝部２２が、短辺側補強縦リブ３３ｃよりも短辺側側壁部４の側辺部側に設けられることにより、短辺側補強縦リブ３３ｃよりも短辺側側壁部４の中央部側の領域を情報表示領域４２や、折返しフランジ４１用のスペースとして確保することができる。さらには、短辺側側壁部４のうち内面側に溝部２２が形成されたことによって外面側に膨出した部位、及び、突部２１の保護を図ることができる。
【００６２】
加えて、突部２１の下部２１ａは、下端部側から上端部側に向けて、短辺側側壁部４からの突出長が次第に大きくなるように構成されている。このため、容器１のスタッキングやネスティングを行う際に、上側の容器１の突部２１が、下側の容器１の短辺側側壁部４の上辺部（上フランジ部１１）に引っ掛かるといった事態を防止することができ、スタッキングやネスティングの作業を比較的スムースに行うことができる。
【００６３】
尚、上記実施形態の記載内容に限定されず、例えば次のように実施してもよい。勿論、以下において例示しない他の応用例、変更例も当然可能である。
【００６４】
（ａ）上記実施形態では、突部２１が短辺側側壁部４の外面の左下、及び、右下の隅部近傍に設けられているが、少なくとも短辺側側壁部４の下辺部、又は、下辺部近傍に設けられていればよい。また、突部２１の形状についても特に限定されるものではなく、例えば、上部や下部を傾斜させることなく突部２１を略矩形板状に形成してもよいし、直線状に傾斜させるのではなく、Ｒ形状としてもよい。さらに、例えば、各突部２１を左右一対の板状部と、該板状部間を連結する連結部とにより構成してもよい。
【００６５】
（ｂ）上記実施形態では、溝部２２の内側側面や下面が、短辺側側壁部４の内面や溝部２２の底面に対して傾斜するように構成されているが、垂直に延びるように構成してもよい。但し、容器１に収容される物品が溝部２２に引っ掛かる等の事態を抑制するべく、溝部２２の内側面については傾斜させることが望ましい。
【００６６】
（ｃ）上記実施形態において、ポケット部１３の内側側面（側板部１８）についても、ポケット部１３が容器１の内側に向けて広がるように傾斜させることとしてもよい。さらに、コーナー構成部３１が設けられ、ネスティング状態において上側の容器１の支脚部１２を下側の容器１のポケット部１３の受板部１７で支持しなくてもよい構成においては、ポケット部１３の下面（受板部１７）についても傾斜させるように構成してもよい。
【００６７】
また、情報表示領域４２における情報の表示方法については特に限定されるものではなく、適宜変更可能である。さらに、例えば、情報表示領域４２に対応してカードを着脱自在とするカードホルダを（容器１のネスティングやスタッキングに干渉しない範囲で）取付可能に構成してもよい。
【００６８】
加えて、上記実施形態では、上フランジ部１１の先端縁から下方に延びる折返しフランジ４１を設け、容器１を持ち運ぶ際に、折返しフランジ４１及び上フランジ部１１の裏面側に指先を掛けることができるように構成されているが、例えば、短辺側側壁部４に対して指先等を挿入可能とする開口部を形成し、短辺側側壁部４の上辺部を含む部位を握って持ち運ぶことができるように構成してもよい。
【００６９】
（ｄ）上記実施形態では、コーナー構成部３１の構成については特に限定されるものではなく、容器１の用途等に応じて、補強横リブ３２や補強縦リブ３３の位置や数等を適宜変更可能である。但し、情報表示領域４２の面積を確保するべく、補強縦リブ３３は極力容器１のコーナー部寄りに設けることが望ましく、また、支脚部１２、ポケット部１３、突部２１、及び、溝部２２の保護を図るべく、これらを補強縦リブ３３よりも容器１のコーナー部側に設けることが望ましい。
【００７０】
加えて、上記実施形態において、容器１を各コーナー部の少なくとも一部が比較的大きく面取りされたような断面略８角形状（長辺側側壁部３の側辺部と、短辺側側壁部４の側壁部との間を斜めに連結するコーナー壁部を備えること）としてもよい。
【００７１】
（ｅ）上記実施形態では、容器１同士を同じ向きで積み重ねるとスタッキングすることができ、容器１同士を１８０度旋回させた向きで積み重ねるとネスティングすることができるように構成されているが、同じ向きで積み重ねるとネスティングすることができ、向きを１８０度旋回させて積み重ねるとスタッキングすることのできるように構成してもよい。つまり、第１長辺側側壁部３ａの横幅方向において、第１支脚部１２ａと、第１ポケット部１３ａとを同じ位置に形成し、第２長辺側側壁部３ｂの横幅方向において、第２支脚部１２ｂと、第２ポケット部１３ｂとを同じ位置に形成するとともに、第２支脚部１２ｂ、及び、第２ポケット部１３ｂを、第１支脚部１２ａ、及び、第１ポケット部１３ａと対向する位置からずらした位置に形成するように構成してもよい。
【００７２】
（ｆ）上記実施形態では、容器１はポリプロピレンにより構成されているが、ポリエチレン、ＰＥＴ、ポリアミド等その他の樹脂材料により構成されることとしてもよい。
【符号の説明】
【００７３】
１…容器、２…底壁構成部、３…長辺側側壁部、４…短辺側側壁部、１１…上フランジ部、１２…支脚部、１３…ポケット部、２１…突部、２２…溝部、３１…コーナー構成部、３２…補強横リブ、３３…補強縦リブ、４１…折返しフランジ、４２…情報表示領域。
【図１】
0006756499.tif 000002
【図２】
0006756499.tif 000003
【図３】
0006756499.tif 000004
【図４】
0006756499.tif 000005
【図５】
0006756499.tif 000006
【図６】
0006756499.tif 000007
【図７】
0006756499.tif 000008
【図８】
0006756499.tif 000009